(57)【特許請求の範囲】
【請求項１】
最下段の抽斗の前側下部に取り付けられて抽斗の引き出し操作に伴う抽斗収納体の前傾を防止するプラスチック製の傾倒防止輪であって、
ローラとベースとを備えており、
前記ローラは、その両面からそれぞれ回転軸を突き出させており、
前記ベースは、抽斗の前側下部に形成されたはめ込み凹部に下方からはめ込まれる取付部と、
前記ローラの回転軸の軸受け穴であって、当該回転軸の外径よりも穴径を太くする軸受け穴を貫通状態に備えた一対の軸受け部とを備えており、
この回転軸の外径と軸受け穴の穴径との差を利用して、当該回転軸の軸線方向に離れ出す射出成形の金型を構成するスライダによって、前記ローラの回転軸の一方が一方の軸受け部の軸受け穴に挿通され、かつ、前記ローラの回転軸の他方が他方の軸受け部の軸受け穴に挿通された状態で、前記ベースとローラとが射出成形によって一体に成形されており、
しかも、前記ベースの取付部には、前記はめ込み凹部へのはめ込みに伴ってこのはめ込み凹部内に形成された被掛合部に弾性的に掛合される掛合部が備えられていることを特徴とする抽斗収納体の傾倒防止輪。
【請求項２】
掛合部が、ローラの回転軸線を通る鉛直線を挟んだ抽斗の引き出し前方側に形成してあることを特徴とする請求項１記載の抽斗収納体の傾倒防止輪。
【請求項３】
ベースの取付部における抽斗に形成されたはめ込み凹部へのはめ込み方向にある側部に、このはめ込み凹部への取付部のはめ込みに伴ってはめ込み凹部の内面に弾性的に密着するリブが前記はめ込み方向に沿って形成してあることを特徴とする請求項１又は請求項２記載の抽斗収納体の傾倒防止輪。
【請求項４】
ベースの取付部における上部に、抽斗に形成されたはめ込み凹部への取付部のはめ込みに伴って、このはめ込み凹部の内奥部に形成された被嵌合部と嵌り合う嵌合部が形成してあることを特徴とする請求項１、請求項２又は請求項３記載の抽斗収納体の傾倒防止輪。
【請求項５】
ベースにおける軸受け部に、ローラの回転軸の外径とほぼ等しい直径を備えた仮想の円の円弧に穴内周面を沿わせた副軸受け穴が貫通状態に形成してあると共に、
この副軸受け穴が、軸受け穴の上部において、この軸受け穴内に位置される前記回転軸を副軸受け穴内に入り込ませることを許容させるように、この軸受け穴に連通していることを特徴とする請求項１、請求項２、請求項３又は請求項４記載の抽斗収納体の傾倒防止輪。
【発明の詳細な説明】
【０００１】
【発明の属する技術分野】
この発明は、抽斗収納体における最下段の抽斗の前側下部に取り付けられて、この最下段の抽斗の引き出し操作に伴って抽斗収納体が前傾することを防止する傾倒防止輪の改良に関する。
【０００２】
【従来の技術】
袖机などの抽斗収納体における最下段の抽斗の前板下部に取り付けられて、この最下段の抽斗の引き出し操作に伴って抽斗収納体が前傾することを防止するものとして、実用新案登録公報所載の実用新案登録第２５４３４１３号の転倒防止装置、公開実用新案公報所載の実開昭５５−４８３号の転倒防止装置がある。
【０００３】
【発明が解決しようとする課題】
しかるに、この種の転倒防止装置を備えた抽斗収納体のアッセンブリーを容易にする観点からは、この種の転倒防止装置の構造をできるだけ簡素にすると共に、ワンタッチで適切に前記最下段の抽斗の前側下部に取り付けることができるようにすることが望まれる。
【０００４】
また、これら従来の転倒防止装置にあっては、前記最下段の抽斗の引き出し操作に伴って床面に接するローラと、このローラをこの最下段の抽斗に取り付けるための本体部とが最終的なアッセンブリーによって組み合わされる別体のものとして構成されている。
【０００５】
床面に接する前記ローラに相当する部材と前記本体部とプラスチック材料により一体に成形できれば、部品点数を減少させることができるばかりか、こうしたアッセンブリーを不要とすることができるが、前記ローラに相当する部材は少なくとも床面への接地状態から抽斗を押し込み操作するにあたりこの操作を妨げないように回転するものであることが求められることから、単純には前記ローラに相当する部材と本体部とを一体に成形することはできない。
【０００６】
そこでこの発明は、この種の転倒防止装置を、抽斗収納体の最下段の抽斗の前側下部にワンタッチで適切に取り付けることができるようにすること、及び、この最下段の抽斗の引き出し操作に伴ってフロア面などに接し得ると共に回転可能なローラと、このローラを抽斗に取り付けるためのベースとを、プラスチック材料を用いて一体に形成できるようにすることを主たる目的とする。
【０００７】
【課題を解決するための手段】
前記目的を達成するために、請求項１記載の発明にあっては、抽斗収納体の傾倒防止輪を、以下の（１）〜（６）の構成を備えたものとした。
（１）最下段の抽斗の前側下部に取り付けられて抽斗の引き出し操作に伴う抽斗収納体の前傾を防止するプラスチック製の傾倒防止輪であって、
（２）ローラとベースとを備えており、
（３）前記ローラは、その両面からそれぞれ回転軸を突き出させており、
（４）前記ベースは、抽斗の前側下部に形成されたはめ込み凹部に下方からはめ込まれる取付部と、
前記ローラの回転軸の軸受け穴であって、当該回転軸の外径よりも穴径を太くする軸受け穴を貫通状態に備えた一対の軸受け部とを備えており、
（５）この回転軸の外径と軸受け穴の穴径との差を利用して、当該回転軸の軸線方向に離れ出す射出成形の金型を構成するスライダによって、前記ローラの回転軸の一方が一方の軸受け部の軸受け穴に挿通され、かつ、前記ローラの回転軸の他方が他方の軸受け部の軸受け穴に挿通された状態で、前記ベースとローラとが射出成形によって一体に成形されており、
（６）しかも、前記ベースの取付部には、前記はめ込み凹部へのはめ込みに伴ってこのはめ込み凹部内に形成された被掛合部に弾性的に掛合される掛合部が備えられている。
【０００８】
かかる構成によれば、最下段の抽斗を引き出した際に、引き出された抽斗に納められた収納物の重量によって抽斗収納体が前傾しようとした場合に、前記ローラの前記フロア面などへの接地によりこの前傾を阻止させることができる。
【０００９】
また、このように前記ローラを前記フロア面などに接地させて前記前傾を阻止させた抽斗の引き出し状態からこの抽斗を元の収納状態に押し戻すにあたっては、フロア面などに下端を接地させるローラの回転によってこの押し戻しをスムースに行わしむることができる。
【００１０】
また、前記はめ込み凹部への取付部のはめ込みに伴って前記被掛合部に弾性的に掛合される掛合部がこの取付部に設けられていることから、この掛合によって前記取付部の前記はめ込み凹部へのはめ付け状態を安定的に維持させることができる。
【００１１】
また、前記ローラの回転軸の外径と前記軸受け穴の穴径との差を利用して、当該回転軸の軸線方向に離れ出す射出成形の金型を構成するスライダによって、前記ローラの回転軸の一方が一方の軸受け部の軸受け穴に挿通され、かつ、前記ローラの回転軸の他方が他方の軸受け部の軸受け穴に挿通された状態で、前記ベースとローラとを射出成形によって一体に成形するようにしてあることから、傾倒防止輪を、単一の金型をもって成形することができ、また、前記ベース側とローラ側とのアッセンブリーを別途行う必要もないことから、容易かつ低廉に傾倒防止輪を提供させることができる。
【００１２】
また、請求項２記載の発明にあっては、請求項１記載の抽斗収納体の傾倒防止輪における掛合部が、ローラの回転軸線を通る鉛直線を挟んだ抽斗の引き出し前方側に形成してあることを特徴としている。
【００１３】
かかる構成によれば、特に、前記ローラを前記フロア面などに接地させて前記前傾を阻止させた抽斗の引き出し状態から当該抽斗を元の収納状態に押し戻すにあたって前記取付部に作用される前記はめ込み凹部からこの取付部を抜き出せる向きの力に、前記の位置に設けられた掛合部の被掛合部への掛合によって適切に抗することができる。すなわち、前記取付部に必要最小限の掛合部を設けさせることにより、この取付部のはめ込み凹部へのはめ込み時の抵抗を徒に増大させることなく、前記取付部の前記はめ込み凹部へのはめ付け状態を安定的に維持させることができる。
【００１４】
また、請求項３記載の発明にあっては、請求項１又は請求項２記載の抽斗収納体の傾倒防止輪におけるベースの取付部における抽斗に形成されたはめ込み凹部へのはめ込み方向にある側部に、このはめ込み凹部への取付部のはめ込みに伴ってはめ込み凹部の内面に弾性的に密着するリブが前記はめ込み方向に沿って形成してあることを特徴としている。
【００１５】
かかる構成によれば、このリブによって、前記はめ込み凹部にガタつきなく取付部をはめ込ませて、抽斗に対し適切に傾倒防止輪を備え付けさせることができる。
【００１６】
また、請求項４記載の発明にあっては、請求項１、請求項２又は請求項３記載の抽斗収納体の傾倒防止輪におけるベースの取付部における上部に、抽斗に形成されたはめ込み凹部への取付部のはめ込みに伴って、このはめ込み凹部の内奥部に形成された被嵌合部と嵌り合う嵌合部が形成してあることを特徴としている。
【００１７】
かかる構成によれば、前記被嵌合部に嵌合部をはめ込ませることによって、はめ込み凹部に対し前後左右にズレなく取付部をはめ込ませて、抽斗に対し適切に傾倒防止輪を備え付けさせることができる。
【００１８】
また、請求項５記載の発明にあっては、請求項１、請求項２、請求項３又は請求項４記載の抽斗収納体の傾倒防止輪におけるベースにおける軸受け部に、ローラの回転軸の外径とほぼ等しい直径を備えた仮想の円の円弧に穴内周面を沿わせた副軸受け穴が貫通状態に形成してあると共に、
この副軸受け穴が、軸受け穴の上部において、この軸受け穴内に位置される前記回転軸を副軸受け穴内に入り込ませることを許容させるように、この軸受け穴に連通していることを特徴としている。
【００１９】
かかる構成によれば、前記フロア面などに、前記ローラの下端が接地しない状態においては、このローラの回転軸は前記軸受け穴内に位置され、一方、少なくとも前記抽斗の引き出しに伴って抽斗収納体に前傾する向きの力が作用された場合には、このローラの下端が前記フロア面などに接地することを通じて、このローラの回転軸を前記副軸受け穴内に入り込ませることができる。
【００２０】
この結果、かかる構成によれば、特に、前記ローラを前記フロア面などに接地させて前記前傾を阻止させた抽斗の引き出し状態から当該抽斗を元の収納状態に押し戻すにあたって、前記ローラをこのローラの回転軸の外径とほぼ等しい直径を備えた仮想の円の円弧に穴内周面を沿わせた前記副軸受け穴の穴内周面を案内としてガタなく回転させることができ、この押し戻しをスムースに行わしむることができる。
【００２１】
【発明の実施の形態】
以下、図１ないし図１４に基づいて、この発明の典型的な実施の形態について、説明する。
【００２２】
なお、ここで図１ないし図６は、この実施の形態にかかる抽斗収納体の傾倒防止輪をそれぞれ表しており、また、図７及び図１０は、その要部を断面にして表している。また、図８及び図９は、その要部を拡大して表している。また、図１１ないし図１３は、抽斗Ｈに傾倒防止輪を取り付けた状態をそれぞれ示しており、特に、図１０はフロア面Ｆにローラ１の下端が接地した状態を示している。また、図１４は、傾倒防止輪が取り付けられる抽斗Ｈの前板１００の下端部１０１の要部と傾倒防止輪とをそれぞれ分離した状態で下方から見て示している。
【００２３】
この実施の形態にかかる抽斗収納体Ｇの傾倒防止輪は、袖机、ワゴン（キャスター付きの引き出し）、ファイリングキャビネットなどの抽斗収納体Ｇにおける最下段の抽斗Ｈの前側下部Ｈａに取り付けられて、この最下段の抽斗Ｈの引き出し操作に伴って抽斗収納体Ｇが前傾することを防止するために用いられるものである。
【００２４】
すなわち、この種の抽斗収納体Ｇにおける最下段の抽斗Ｈに収納物がある程度納められていると、この最下段の抽斗Ｈを引き出すことに伴って、抽斗収納体Ｇの重心が抽斗Ｈの引き出し前方側に移動してしまうことが少なからず生じる。このように抽斗収納体Ｇの重心が移動してしまうと、最下段の抽斗Ｈの引き出しに伴って、抽斗収納体Ｇが全体として前傾してしまうこととなる。この実施の形態にかかる傾倒防止輪は、このように抽斗収納体Ｇが前傾しようとするときに、フロア面Ｆなどに接地して、この前傾を阻止するように機能するものである。
【００２５】
この実施の形態にかかる傾倒防止輪は、プラスチック製のローラ１とプラスチック製のベース２とを備えている。
【００２６】
また、前記ローラ１は、その両面（すなわち、ローラ１の上下方向にある両面）からそれぞれ回転軸１０を突き出させている。
【００２７】
また、前記ベース２は、抽斗Ｈの前側下部Ｈａに形成されたはめ込み凹部１０４に下方からはめ込まれる取付部２０と、
前記ローラ１の回転軸１０の軸受け穴２１ａであって、当該回転軸１０の外径よりも穴径を太くする軸受け穴２１ａを貫通状態に備えた一対の軸受け部２１、２１とを備えている。
【００２８】
この実施の形態にあっては、最下段の抽斗Ｈの前板１００の下端部１０１であって、この前板１００の左右方向ほぼ中程の位置に形成されたはめ込み凹部１０４に、前記ベース２の取付部２０が下方からはめ込まれるようにしてある。
【００２９】
そして、このようにはめ込み凹部１０４に取付部２０をはめ込ませた状態において、前記ローラ１が、ローラ１の下端と抽斗収納体Ｇの設置されたフロア面Ｆなどとの間に、若干の間隔を開けた状態で、配されるようにしてある。（図１３）
【００３０】
この結果、この実施の形態にあっては、最下段の抽斗Ｈを引き出した際に、引き出された抽斗Ｈに納められた収納物の重量によって抽斗収納体Ｇが前傾しようとした場合に、前記ローラ１の前記フロア面Ｆなどへの接地によりこの前傾を阻止させることができる。
【００３１】
また、このように前記ローラ１を前記フロア面Ｆなどに接地させて前記前傾を阻止させた抽斗Ｈの引き出し状態からこの抽斗Ｈを元の収納状態に押し戻すにあたっては、フロア面Ｆなどに下端を接地させるローラ１の回転によってこの押し戻しをスムースに行わしむることができる。
【００３２】
前記はめ込み凹部１０４は、この実施の形態にあっては、前記前板１００の肉厚内において、この前板１００の下端部１０１から上方に向けて窪まされた構成とされており、下方において開放されている。
【００３３】
また、このはめ込み凹部１０４は、
（１）前板１００の前面１０２側にあるこの前板１００の左右方向に沿った前部内面１０４ａと、
（２）この前部内面１０４ａに向き合う後部内面１０４ｂと、
（３）前部内面１０４ａと後部内面１０４ｂとの間に亙る側部内面１０４ｃと、
（４）内奥面１０４ｄとを有すると共に、
（５）後部内面１０４ｂの左右両側を除いた部分を前部内面１０４ａに近づけるように形成されており、
（６）はめ込み凹部１０４の左右両側部をそれぞれ、このはめ込み凹部１０４を下方から見た状態において、前板１００の背面１０３側に向けて、ほぼ直角に屈曲させるように構成されている。（図１４）
【００３４】
一方、この実施の形態にあっては、前記ベース２の取付部２０は、水平方向に延びる基板部２０ａの上面側に、この上面から突き出すように形成されている。
【００３５】
また、かかる取付部２０は、前記はめ込み凹部１０４の内郭形状に倣った外郭形状を持つように形成されている。
すなわち、かかる取付部２０は、
（１）前記はめ込み凹部１０４へのはめ込みに伴ってこのはめ込み凹部１０４の前部内面１０４ａに密着する前部外面２０ｂと、
（２）前記はめ込み凹部１０４へのはめ込みに伴ってこのはめ込み凹部１０４の側部内面１０４ｃに密着する側部外面２０ｃと、
（３）前記はめ込み凹部１０４へのはめ込みに伴ってこのはめ込み凹部１０４の後部内面１０４ｂのうち、前記屈曲によってこのはめ込み凹部１０４の前部内面１０４ａから離れるように形成された後部内面１０４ｂの一部１０４ｂ’に密着する後部外面２０ｄと、
（４）前記はめ込み凹部１０４へのはめ込みに伴ってこのはめ込み凹部１０４の内奥面１０４ｄに押し当てられる上部外面２０ｅとを備えている。
【００３６】
また、このベース２の取付部２０には、前記はめ込み凹部１０４へのはめ込みに伴ってこのはめ込み凹部１０４内に形成された被掛合部１０５に弾性的に掛合される掛合部２０ｆが備えられている。
【００３７】
この実施の形態にあっては、この掛合部２０ｆを、前記はめ込み凹部１０４への取付部２０のはめ込みに伴って一旦弾性的に変形させられた後、この取付部２０をはめ込み凹部１０４にはめ込み切った位置（つまり、取付部２０の上部外面２０ｅがはめ込み凹部１０４の内奥面１０４ｄに突き当たった位置）において弾性復帰して、掛合凹部１０５ａとして形成されているはめ込み凹部１０４側の被掛合部１０５に掛合される掛合突部２０ｇとして構成している。
【００３８】
なお、この実施の形態とは逆に、前記掛合部２０ｆを、前記はめ込み凹部１０４への取付部２０のはめ込みに伴って一旦弾性的に変形させられた後、この取付部２０をはめ込み凹部１０４にはめ込み切った位置において弾性復帰される掛合突部として形成されたはめ込み凹部１０４側の被掛合部１０５が、この弾性復帰によって掛合される掛合凹部として構成することも可能である。
【００３９】
この実施の形態にあっては、前記取付部２０の掛合突部２０ｇは、取付部２０の前記前部外面２０ｂから突き出すように形成されている。また、はめ込み凹部１０４の掛合凹部１０５ａは、はめ込み凹部１０４の前記前部内面１０４ａから前板１００の前面１０２側に向けて窪み込むように形成されている。また、この掛合突部２０ｇは取付部２０の左右にそれぞれ形成されており、これに対応して、前記掛合凹部１０５ａもはめ込み凹部１０４の左右にそれぞれ形成されている。
【００４０】
具体的には、この実施の形態にあっては、前記取付部２０の掛合突部２０ｇは、この取付部２０の前部外面２０ｂを構成する突き出し板部の内外を連通する略Ｕ字状をなす割溝２０ｊによって区分された弾性片２０ｋの外面側に形成されている。
【００４１】
また、この取付部２０の掛合突部２０ｇは、前記弾性片２０ｋの下端側に頂部を有し、この頂部の下側に掛合面２０ｈを有すると共に、この頂部から上方に向かうに連れて次第に低まる傾斜面２０ｉを有している。
【００４２】
そして、この実施の形態にあっては、このように形成された掛合突部２０ｇの頂部から取付部２０の後部外面２０ｄまでの間隔が、はめ込み凹部１０４の前部内面１０４ａから前記屈曲によってこのはめ込み凹部１０４の前部内面１０４ａから離れるように形成された後部内面１０４ｂの一部１０４ｂ’までの間隔よりも、やや大きくなるように構成されている。
【００４３】
この結果、この実施の形態にあっては、前記取付部２０の前記はめ込み凹部１０４へのはめ込みに伴って、このはめ込み凹部１０４の前部内面１０４ａに前記掛合突部２０ｇを押し当てさせることができると共に、この押し当てによって前記弾性片２０ｋを内向きに撓み込ませることができる。この弾性片２０ｋの撓み込ませは、前記傾斜面２０ｉによって叙々になされるものとなるため、前記はめ込みを円滑になすことができる。そして、この後、前記はめ込み凹部１０４に取付部２０をはめ込みきった位置においてこの弾性片２０ｋを弾性復帰させて前記掛合突部２０ｇの掛合面２０ｈをはめ込み凹部１０４に形成された掛合凹部１０５ａの下側内面に掛合させることができ、この掛合によって前記取付部２０の前記はめ込み凹部１０４へのはめ付け状態を安定的に維持させることができる。
【００４４】
また、この実施の形態にあっては、前記掛合部２０ｆが、前記ローラ１の回転軸線を通る鉛直線ｘを挟んだ抽斗Ｈの引き出し前方側に形成してある。
【００４５】
この結果、この実施の形態にあっては、特に、前記のように前記ローラ１を前記フロア面Ｆなどに接地させて前記前傾を阻止させた抽斗Ｈの引き出し状態から当該抽斗Ｈを元の収納状態に押し戻すにあたって前記取付部２０に作用される前記はめ込み凹部１０４からこの取付部２０を抜き出せる向きの力に、前記の位置に設けられた掛合部２０ｆの被掛合部１０５への掛合によって適切に抗することができる。すなわち、前記取付部２０に必要最小限の掛合部２０ｆを設けさせることにより、この取付部２０のはめ込み凹部１０４へのはめ込み時の抵抗を徒に増大させることなく、前記取付部２０の前記はめ込み凹部１０４へのはめ付け状態を安定的に維持させることができる。
【００４６】
また、この実施の形態にあっては、前記ベース２の取付部２０における抽斗Ｈに形成されたはめ込み凹部１０４へのはめ込み方向にある側部に、このはめ込み凹部１０４への取付部２０のはめ込みに伴ってはめ込み凹部１０４の内面に弾性的に密着するリブ２０ｍが前記はめ込み方向に沿って形成してある。
【００４７】
この実施の形態にあっては、前記取付部２０における側部外面２０ｃと後部外面２０ｄにそれぞれ、この取付部２０の前記基板部２０ａの上面からの突き出し方向に沿うように、前記リブ２０ｍが形成してある。側部外面２０ｃには、この側部外面２０ｃと前部外面２０ｂとの間の隅部に近接した位置と、この側部外面２０ｃと後部外面２０ｄとの間の隅部に近接した位置とにそれぞれ、前記リブ２０ｍが形成してある。各リブ２０ｍはそれぞれ、前記はめ込み凹部１０４に取付部２０をはめ入れることに伴って、やや弾性変形をしてその突き出し面をはめ込み凹部１０４の内面に押し付けさせるように構成してある。
【００４８】
この結果、この実施の形態にあっては、前記はめ込み凹部１０４にガタつきなく取付部２０をはめ込ませて、抽斗Ｈに対し適切に傾倒防止輪を備え付けさせることができる。
【００４９】
なお、この実施の形態にあっては、各リブ２０ｍはそれぞれ、その上端部に、取付部２０の上部外面２０ｅ側に向かうに連れて次第にリブ２０ｍの突き出し寸法を小さくする向きに傾斜した傾斜面２０ｎを備えており、前記はめ込み凹部１０４への取付部２０のはめ込みにあたってこのように形成されたリブ２０ｍが強い抵抗にならないようにしてある。
【００５０】
また、この実施の形態にあっては、前記ベース２の取付部２０における上部に、抽斗Ｈに形成されたはめ込み凹部１０４への取付部２０のはめ込みに伴って、このはめ込み凹部１０４の内奥部に形成された被嵌合部１０６と嵌り合う嵌合部２０ｐが形成してある。
【００５１】
この実施の形態にあっては、前記嵌合部２０ｐは、前記取付部２０の左右両側において、この取付部２０の上部外面２０ｅから突き出すように形成された方形の角柱状をなす嵌合突部２０ｑとして構成されている。また、前記被嵌合部１０６は、前記はめ込み凹部１０４における左右両側において、内奥面１０４ｄから上方に向けて窪み込むように形成された前記嵌合突部２０ｑがはまり込む当該嵌合突部２０ｑの外郭形状に穴の内郭形状を倣わした嵌合凹部１０６ａとして構成されている。
【００５２】
この結果、この実施の形態にあっては、前記被嵌合部１０６に嵌合部２０ｐをはめ込ませることによって、はめ込み凹部１０４に対し前後左右にズレなく取付部２０をはめ込ませて、抽斗Ｈに対し適切に傾倒防止輪を備え付けさせることができる。
【００５３】
なお、これとは逆に、前記嵌合部２０ｐを、取付部２０の上部外面２０ｅから下方に窪み込むように形成された穴状をなす嵌合凹部として構成し、また、前記被嵌合部１０６を、内奥面１０４ｄから下方に向けて突き出すように形成され前記嵌合凹部として構成された嵌合部２０ｐに入り込む嵌合突部として構成しておくこともできる。
【００５４】
また、この実施の形態にあっては、前記ベース２における基板部２０ａの下面側に、前記ローラ１の軸受け部２１が形成されている。
【００５５】
具体的には、この実施の形態にあっては、かかる軸受け部２１は、前記ローラ１を間に納める間隔を開けて、前記基板部２０ａの下面側から下方に向けて突き出す一対の板状体として構成してある。
【００５６】
そして、この一対の軸受け部２１、２１にそれぞれ、前記ローラ１の回転軸１０の外径よりも穴径を太くする軸受け穴２１ａが貫通状態に備えられている。
【００５７】
一対の軸受け部２１、２１は、前記抽斗Ｈの引き出し方向に沿った向きに板面を向けるように形成され、また、前記軸受け穴２１ａはこの抽斗Ｈの引き出し方向にほぼ直交する向きに沿って形成されている。従って、このように形成される軸受け部２１の軸受け穴２１ａに回転軸１０を挿通される前記ローラ１は、その回転軸１０の軸線を抽斗Ｈの引き出し方向にほぼ直交する向きに沿わせるように配される。
【００５８】
そして、この実施の形態にあっては、前記ローラ１の回転軸１０の外径と前記軸受け穴２１ａの穴径との差を利用して、当該回転軸１０の軸線方向に離れ出す射出成形の金型を構成するスライダによって、前記ローラ１の回転軸１０の一方が一方の軸受け部２１の軸受け穴２１ａに挿通され、かつ、前記ローラ１の回転軸１０の他方が他方の軸受け部２１の軸受け穴２１ａに挿通された状態で、前記ベース２とローラ１とを射出成形によって一体に成形するようにしてある。
【００５９】
この結果、この実施の形態によれば、傾倒防止輪を、単一の金型をもって成形することができ、また、前記ベース２側とローラ１側とのアッセンブリーを別途行う必要もないことから、容易かつ低廉に傾倒防止輪を提供させることができる。
【００６０】
また、この実施の形態にあっては、前記ベース２における軸受け部２１に、ローラ１の回転軸１０の外径とほぼ等しい直径を備えた仮想の円の円弧に穴内周面を沿わせた副軸受け穴２１ｂが貫通状態に形成してあると共に、この副軸受け穴２１ｂが、軸受け穴２１ａの上部において、この軸受け穴２１ａ内に位置される前記回転軸１０を副軸受け穴２１ｂ内に入り込ませることを許容させるように、この軸受け穴２１ａに連通した構成としてある。
【００６１】
具体的には、実施の形態にあっては、前記軸受け部２１を前記抽斗Ｈの引き出し方向に沿った向きから見た状態において、前記軸受け穴２１ａとこの軸受け穴２１ａに前記のように連通した副軸受け穴２１ｂとによって形成されたダルマ穴状をなす穴に前記ローラ１の回転軸１０が挿通された構成としてある。
【００６２】
そして、前記フロア面Ｆなどに、前記ローラ１の下端が接地しない状態においては、このローラ１の回転軸１０は前記軸受け穴２１ａ内に位置され、（図１１、図１３）一方、少なくとも前記抽斗Ｈの引き出しに伴って抽斗収納体Ｇに前傾する向きの力が作用された場合には、このローラ１の下端が前記フロア面Ｆなどに接地することを通じて、このローラ１の回転軸１０が前記副軸受け穴２１ｂ内に入り込む構成としてある。（図１２）
【００６３】
この結果、この実施の形態にあっては、特に、前記ローラ１を前記フロア面Ｆなどに接地させて前記前傾を阻止させた抽斗Ｈの引き出し状態から当該抽斗Ｈを元の収納状態に押し戻すにあたっては、前記ローラ１をこのローラ１の回転軸１０の外径とほぼ等しい直径を備えた仮想の円の円弧に穴内周面を沿わせた前記副軸受け穴２１ｂの穴内周面を案内としてガタなく回転させることができ、この押し戻しをスムースに行わしむることができる。
【００６４】
なお、この実施の形態にあっては、前記ローラ１の軸受け部２１の外面に一辺を一体に接合させると共に、前記ベース２の基板部２０ａの下面に他の一辺を一体に接合させた略三角形状をなす補強板２２が、一対の軸受け部２１、２１の外側に、前記ローラ１の回転軸１０線を通る鉛直線に板面を沿わせるようにして、それぞれ設けられており、軸受け部２１側が適切な剛性を持つようにしてある。
【００６５】
【発明の効果】
この発明にかかる抽斗収納体の傾倒防止輪によれば、抽斗収納体の最下段の抽斗の前側下部に形成されたはめ込み凹部にベースの取付部を下方からはめ込むだけでこの抽斗にワンタッチで適切に取り付けることができる。
【００６６】
また、最下段の抽斗の引き出し操作に伴ってフロア面などに接し得ると共に回転可能なローラと、このローラを抽斗に取り付けるためのベースとを、プラスチック材料を用いて一体に形成することができる。
【図面の簡単な説明】
【図１】傾倒防止輪の側面図
【図２】同平面図
【図３】同底面図
【図４】図１の左側から傾倒防止輪を見て示した側面図
【図５】図１の右側から傾倒防止輪を見て示した側面図
【図６】図１におけるＡ−Ａ線断面図
【図７】図１におけるＢ−Ｂ線断面図
【図８】傾倒防止輪の要部拡大図
【図９】傾倒防止輪の要部拡大図
【図１０】図１におけるＣ−Ｃ線断面図
【図１１】傾倒防止輪の使用状態を示す側面図
【図１２】傾倒防止輪の使用状態を示す側面図
【図１３】傾倒防止輪の使用状態を示す側面図
【図１４】抽斗Ｈの前板１００と傾倒防止輪との分離底面図
【符号の説明】
Ｈ  抽斗
Ｈａ  前側下部
１  ローラ
１０  回転軸
２  ベース
２０  取付部
２０ｆ  掛合部
２１  軸受け部
２１ａ  軸受け穴
２１ｂ  副軸受け穴
１０４  はめ込み凹部
１０５  被掛合部
【図１】
0004647161.tif 000002
【図２】
0004647161.tif 000003
【図３】
0004647161.tif 000004
【図４】
0004647161.tif 000005
【図５】
0004647161.tif 000006
【図６】
0004647161.tif 000007
【図７】
0004647161.tif 000008
【図８】
0004647161.tif 000009
【図９】
0004647161.tif 000010
【図１０】
0004647161.tif 000011
【図１１】
0004647161.tif 000012
【図１２】
0004647161.tif 000013
【図１３】
0004647161.tif 000014
【図１４】
0004647161.tif 000015